(57)【要約】      （修正有）【課題】協調マルチポイントユーザに対して、チャネル状態情報プロセスを選択する方法、および基地局を提供する。【解決手段】無線通信システムのトラフィック負荷を取得し、該トラフィック負荷と予め設定された１つまたは複数の負荷閾値とを比較して、前記無線通信システムの負荷レベルを決定し、異なる負荷レベルに対して、異なる、基地局によって設定されるＣＳＩプロセスを決定する、ことを含む。提供される方法および基地局は、様々な無線通信システムに適応することができ、ネットワーク環境中のトラフィック負荷が高いか低いかにもかかわらず、よりよいシステム性能を提供することができ、また、トラフィック負荷が低い場合、ネットワークスケジューリングの複雑度を効果的に低減させることもできる。【選択図】図１
2014096796.tif 000002
【特許請求の範囲】
【請求項１】
無線通信システムにおける協調マルチポイント（ＣｏＭＰ）ユーザに対して、チャネル状態情報（ＣＳＩ）プロセスを選択する方法であって、
前記無線通信システムのトラフィック負荷を取得するＡ１と、
該トラフィック負荷と予め設定された１つまたは複数の負荷閾値とを比較して、前記無線通信システムの負荷レベルを決定し、異なる負荷レベルに対して、異なる、基地局によって設定されるＣＳＩプロセスを決定するＢ１と、を含むことを特徴とする方法。
【請求項２】
前記Ｂ１は、
前記トラフィック負荷と予め設定された第１の負荷閾値とを比較し、
該トラフィック負荷が前記第１の負荷閾値より小さい場合、前記無線通信システムの負荷レベルが低いと決定し、フォールバックＣＳＩを基地局によって設定されるＣＳＩプロセスのうちの１つとして選択して、サービング基地局に対応するＣＳＩプロセスから、基地局によって設定されるＣＳＩプロセスのうちの残りを選択し、
該トラフィック負荷が前記第１の負荷閾値より大きい場合、前記無線通信システムの負荷レベルが高いと決定し、フォールバックＣＳＩを基地局によって設定されるＣＳＩプロセスから除外して、ＣｏＭＰ測定セットに含まれる各基地局に対応するＣＳＩプロセスから、少なくとも１つを基地局によって設定されるＣＳＩプロセスとして選択する、ことを含むことを特徴とする請求項１に記載の方法。
【請求項３】
前記Ｂ１は、
前記トラフィック負荷と予め設定された第１の負荷閾値とを比較し、
該トラフィック負荷が前記第１の負荷閾値より大きい場合、前記無線通信システムの負荷レベルが高いと決定し、フォールバックＣＳＩを基地局によって設定されるＣＳＩプロセスから除外して、第１のＣｏＭＰ測定セットに含まれる各基地局に対応するＣＳＩプロセスから、少なくとも１つを基地局によって設定されるＣＳＩプロセスとして選択し、
該トラフィック負荷が前記第１の負荷閾値より小さい場合、前記無線通信システムの負荷レベルが低いと決定し、フォールバックＣＳＩを基地局によって設定されるＣＳＩプロセスのうちの１つとして選択して、基地局の数が前記第１のＣｏＭＰ測定セットより少ない第２のＣｏＭＰ測定セットを改めて生成し、前記第２のＣｏＭＰ測定セットに含まれる基地局に対応するＣＳＩプロセスから、基地局によって設定されるＣＳＩプロセスのうちの残りを選択する、ことを含むことを特徴とする請求項１に記載の方法。
【請求項４】
前記Ｂ１は、
前記トラフィック負荷と予め設定された第１の負荷閾値、第２の負荷閾値とをそれぞれ比較し、
該トラフィック負荷が前記第１の負荷閾値より小さい場合、前記無線通信システムの負荷レベルが低いと決定し、フォールバックＣＳＩを基地局によって設定されるＣＳＩプロセスのうちの１つとして選択して、サービング基地局に対応するＣＳＩプロセスから、基地局によって設定されるＣＳＩプロセスのうちの残りを選択し、
該トラフィック負荷が前記第２の負荷閾値より大きい場合、前記無線通信システムの負荷レベルが高いと決定し、フォールバックＣＳＩを基地局によって設定されるＣＳＩプロセスから除外して、ＣｏＭＰ測定セットに含まれる各基地局に対応するＣＳＩプロセスから、少なくとも１つを基地局によって設定されるＣＳＩプロセスとして選択し、
該トラフィック負荷が前記第１の負荷閾値より大きくて、かつ前記第２の負荷閾値より小さい場合、前記無線通信システムの負荷レベルが中レベルと決定し、フォールバックＣＳＩを基地局によって設定されるＣＳＩプロセスのうちの１つとして選択して、ＣｏＭＰ測定セットに含まれる各協調基地局に対応するＣＳＩプロセスから、少なくとも１つを基地局によって設定されるＣＳＩプロセスのうちの残りとして選択する、ことを含み、
ここで、前記第１の負荷閾値は、前記第２の負荷閾値より小さい、ことを特徴とする請求項１に記載の方法。
【請求項５】
基地局に対応するＣＳＩプロセスから、基地局によって設定されるＣＳＩプロセスを選択することは、
該基地局に対応する各ＣＳＩプロセスの信号対干渉雑音比を決定し、信号対干渉雑音比の降順で、所定数の、基地局によって設定されるＣＳＩプロセスを選択する、ことを含むことを特徴とする請求項２から４のいずれかに記載の方法。
【請求項６】
前記トラフィック負荷は、リソース使用率、および／またはユーザ数を含む、ことを特徴とする請求項１から４のいずれかに記載の方法。
【請求項７】
無線通信システムにおける協調マルチポイント（ＣｏＭＰ）ユーザに対して、チャネル状態情報（ＣＳＩ）プロセスを選択する方法であって、
サービングセルの信号パラメータと協調セルの信号パラメータとの間のパラメータ差分を決定するＡ２と、
該パラメータ差分と予め設定された１つまたは複数の差分閾値とを比較して、前記ＣｏＭＰユーザの位置を決定し、異なるユーザ位置に対して、異なる、基地局によって設定されるＣＳＩプロセスを決定するＢ２と、を含むことを特徴とする方法。
【請求項８】
前記Ｂ２は、
前記パラメータ差分と予め設定された第１の差分閾値とを比較し、
該パラメータ差分が前記第１の差分閾値より大きい場合、前記ＣｏＭＰユーザの位置がサービングセルの第１のエッジ領域に位置すると決定し、フォールバックＣＳＩを基地局によって設定されるＣＳＩプロセスのうちの１つとして選択して、サービング基地局に対応するＣＳＩプロセスから、基地局によって設定されるＣＳＩプロセスのうちの残りを選択し、
該パラメータ差分が前記第１の差分閾値より小さい場合、前記ＣｏＭＰユーザの位置がサービングセルの第２のエッジ領域に位置すると決定し、フォールバックＣＳＩを基地局によって設定されるＣＳＩプロセスから除外して、ＣｏＭＰ測定セットに含まれる各基地局に対応するＣＳＩプロセスから、少なくとも１つを基地局によって設定されるＣＳＩプロセスとして選択する、ことを含み、
ここで、前記第１のエッジ領域は、前記第２のエッジ領域よりも前記サービングセルの中心に近い、ことを特徴とする請求項７に記載の方法。
【請求項９】
前記Ｂ２は、
前記パラメータ差分と予め設定された第１の差分閾値とを比較し、
該パラメータ差分が前記第１の差分閾値より小さい場合、前記ＣｏＭＰユーザの位置がサービングセルの第２のエッジ領域に位置すると決定し、フォールバックＣＳＩを基地局によって設定されるＣＳＩプロセスから除外して、第１のＣｏＭＰ測定セットに含まれる各基地局に対応するＣＳＩプロセスから、少なくとも１つを基地局によって設定されるＣＳＩプロセスとして選択し、
該パラメータ差分が前記第１の差分閾値より大きい場合、前記ＣｏＭＰユーザの位置がサービングセルの第１のエッジ領域に位置すると決定し、フォールバックＣＳＩを基地局によって設定されるＣＳＩプロセスのうちの１つとして選択して、基地局の数が前記第１のＣｏＭＰ測定セットより少ない第２のＣｏＭＰ測定セットを改めて生成し、前記第２のＣｏＭＰ測定セットに含まれる基地局に対応するＣＳＩプロセスから、基地局によって設定されるＣＳＩプロセスのうちの残りを選択する、ことを含み、
ここで、前記第１のエッジ領域は、前記第２のエッジ領域よりも前記サービングセルの中心に近い、ことを特徴とする請求項７に記載の方法。
【請求項１０】
前記Ｂ２は、
前記パラメータ差分と、予め設定された第１の差分閾値、第２の差分閾値とをそれぞれ比較し、
該パラメータ差分が前記第１の差分閾値より大きい場合、前記ＣｏＭＰユーザの位置がサービングセルの第１のエッジ領域に位置すると決定し、フォールバックＣＳＩを基地局によって設定されるＣＳＩプロセスのうちの１つとして選択して、サービング基地局に対応するＣＳＩプロセスから、基地局によって設定されるＣＳＩプロセスのうちの残りを選択し、
該パラメータ差分が前記第２の差分閾値より小さい場合、前記ＣｏＭＰユーザの位置がサービングセルの第２のエッジ領域に位置すると決定し、フォールバックＣＳＩを基地局によって設定されるＣＳＩプロセスから除外して、ＣｏＭＰ測定セットに含まれる各基地局に対応するＣＳＩプロセスから、少なくとも１つを基地局によって設定されるＣＳＩプロセスとして選択し、
該パラメータ差分が前記第１の差分閾値より小さくて、かつ前記第２の差分閾値より大きい場合、前記ＣｏＭＰユーザの位置がサービングセルの第３のエッジ領域に位置すると決定し、フォールバックＣＳＩを基地局によって設定されるＣＳＩプロセスのうちの１つとして選択して、ＣｏＭＰ測定セットに含まれる各協調基地局に対応するＣＳＩプロセスから、少なくとも１つを基地局によって設定されるＣＳＩプロセスのうちの残りとして選択する、ことを含み、
ここで、前記第１の差分閾値は、前記第２の差分閾値より大きく、前記第１のエッジ領域は、前記第２のエッジ領域よりも前記サービングセルの中心に近く、前記第３のエッジ領域は、前記第１のエッジ領域と前記第２のエッジ領域との間に位置する、ことを特徴とする請求項７に記載の方法。
【請求項１１】
基地局に対応するＣＳＩプロセスから、基地局によって設定されるＣＳＩプロセスを選択することは、
該基地局に対応する各ＣＳＩプロセスの信号対干渉雑音比を決定し、信号対干渉雑音比の降順で、所定数の、基地局によって設定されるＣＳＩプロセスを選択する、ことを含むことを特徴とする請求項８から１０のいずれかに記載の方法。
【請求項１２】
前記信号パラメータは、参照信号受信電力、または参照信号受信品質、あるいは信号対干渉雑音比を含む、ことを特徴とする請求項７から１０のいずれかに記載の方法。
【請求項１３】
無線通信システムにおける協調マルチポイント（ＣｏＭＰ）ユーザに対して、チャネル状態情報（ＣＳＩ）プロセスを選択する方法であって、
所定時間帯内に出現頻度が最も高いＮｃｏｎｆ個のユーザスケジューリング状態または基地局伝送状態を決定し、
ＣＳＩプロセスの予備セットから、前記Ｎｃｏｎｆ個のユーザスケジューリング状態または基地局伝送状態に対応するＣＳＩプロセスを探して、基地局によって設定されるＣＳＩプロセスとする、ことを含み、
ここで、前記Ｎｃｏｎｆは、基地局によって設定されるＣＳＩプロセスの数である、ことを特徴とする方法。
【請求項１４】
協調マルチポイント（ＣｏＭＰ）ユーザに対して、チャネル状態情報（ＣＳＩ）プロセスを選択する基地局であって、
無線通信システムのトラフィック負荷を取得する第１の手段と、
前記トラフィック負荷と予め設定された１つまたは複数の負荷閾値とを比較して、前記無線通信システムの負荷レベルを決定し、異なる負荷レベルに対して、異なる、基地局によって設定されるＣＳＩプロセスを決定する第２の手段と、を備えることを特徴とする基地局。
【請求項１５】
前記第２の手段は、
前記トラフィック負荷と予め設定された第１の負荷閾値とを比較し、
前記トラフィック負荷が前記第１の負荷閾値より小さい場合、前記無線通信システムの負荷レベルが低いと決定し、フォールバックＣＳＩを基地局によって設定されるＣＳＩプロセスのうちの１つとして選択して、サービング基地局に対応するＣＳＩプロセスから、基地局によって設定されるＣＳＩプロセスのうちの残りを選択し、
前記トラフィック負荷が前記第１の負荷閾値より大きい場合、前記無線通信システムの負荷レベルが高いと決定し、フォールバックＣＳＩを基地局によって設定されるＣＳＩプロセスから除外して、ＣｏＭＰ測定セットに含まれる各基地局に対応するＣＳＩプロセスから、少なくとも１つを基地局によって設定されるＣＳＩプロセスとして選択する、ことを特徴とする請求項１４に記載の基地局。
【請求項１６】
協調マルチポイント（ＣｏＭＰ）ユーザに対して、チャネル状態情報（ＣＳＩ）プロセスを選択する基地局であって、
サービングセルの信号パラメータと協調セルの信号パラメータとの間のパラメータ差分を決定する第１の手段と、
該パラメータ差分と予め設定された１つまたは複数の差分閾値とを比較して、前記ＣｏＭＰユーザの位置を決定し、異なるユーザ位置に対して、異なる、基地局によって設定されるＣＳＩプロセスを決定する第２の手段と、を備えることを特徴とする基地局。
【請求項１７】
前記第２の手段は、
前記パラメータ差分と予め設定された第１の差分閾値とを比較し、
該パラメータ差分が前記第１の差分閾値より大きい場合、前記ＣｏＭＰユーザの位置がサービングセルの第１のエッジ領域に位置すると決定し、フォールバックＣＳＩを基地局によって設定されるＣＳＩプロセスのうちの１つとして選択して、サービング基地局に対応するＣＳＩプロセスから、基地局によって設定されるＣＳＩプロセスのうちの残りを選択し、
該パラメータ差分が前記第１の差分閾値より小さい場合、前記ＣｏＭＰユーザの位置がサービングセルの第２のエッジ領域に位置すると決定し、フォールバックＣＳＩを基地局によって設定されるＣＳＩプロセスから除外して、ＣｏＭＰ測定セットに含まれる各基地局に対応するＣＳＩプロセスから、少なくとも１つを基地局によって設定されるＣＳＩプロセスとして選択し、
ここで、前記第１のエッジ領域は、前記第２のエッジ領域よりも前記サービングセルの中心に近い、ことを特徴とする請求項１６に記載の基地局。
【請求項１８】
協調マルチポイント（ＣｏＭＰ）ユーザに対して、チャネル状態情報（ＣＳＩ）プロセスを選択する基地局であって、
所定時間帯内に出現頻度が最も高いＮｃｏｎｆ個のユーザスケジューリング状態または基地局伝送状態を決定する第１の手段と、
ＣＳＩプロセスの予備セットから、前記Ｎｃｏｎｆ個のユーザスケジューリング状態または基地局伝送状態に対応するＣＳＩプロセスを探して、基地局によって設定されるＣＳＩプロセスとする第２の手段と、を備え、
ここで、前記Ｎｃｏｎｆは、基地局によって設定されるＣＳＩプロセスの数である、ことを特徴とする基地局。
【発明の詳細な説明】
【技術分野】
【０００１】
本発明は、無線通信分野に関し、特に、協調マルチポイント（ＣｏＭＰ：Ｃｏｏｒｄｉｎａｔｅｄ  Ｍｕｌｔｉ−Ｐｏｉｎｔ）ユーザに対して、チャネル状態情報（ＣＳＩ：Ｃｈａｎｎｅｌ  Ｓｔａｔｅ  Ｉｎｆｏｒｍａｔｉｏｎ）プロセス（ｐｒｏｃｅｓｓ）を選択する方法、および基地局に関する。
【背景技術】
【０００２】
チャネル状態情報プロセス（ＣＳＩ  ｐｒｏｃｅｓｓ）は、信号測定リソース（ＳＭＲ：Ｓｉｇｎａｌ  Ｍｅａｓｕｒｅｍｅｎｔ  Ｒｅｓｏｕｒｃｅ）および干渉測定リソース（Ｉｎｔｅｒｆｅｒｅｎｃｅ  Ｍｅａｓｕｒｅｍｅｎｔ  Ｒｅｓｏｕｒｃｅ）に対して、測定および処理を行うことにより得られるものである。ＣＳＩプロセスには、ランクインジケーター（ＲＩ：Ｒａｎｋ  Ｉｎｄｉｃａｔｏｒ）、プリコーディング行列インジケーター（ＰＭＩ：Ｐｒｅｃｏｄｉｎｇ  Ｍａｔｒｉｘ  Ｉｎｄｉｃａｔｏｒ）およびチャネル品質インジケーター（ＣＱＩ：Ｃｈａｎｎｅｌ  Ｑｕａｌｉｔｙ  Ｉｎｄｉｃａｔｏｒ）などのパラメータが含まれる。ＣＳＩプロセスは、３ＧＰＰ  Ｒｅｌ−８、３ＧＰＰ  Ｒｅｌ−１０などの規格におけるＣＳＩプロセスに類似する。
【０００３】
例えば協調スケジューリング／ダイナミックポイントブランキング（ＣＳ／ＤＰＢ：Ｃｏｏｒｄｉｎａｔｅｄ  Ｓｃｈｅｄｕｌｉｎｇ／Ｄｙｎａｍｉｃ  Ｐｏｉｎｔ  Ｂｌａｎｋｉｎｇ）、ダイナミックポイント選択／ダイナミックポイントブランキング（ＤＰＳ／ＤＰＢ：Ｄｙｎａｍｉｃ  Ｐｏｉｎｔ  Ｓｅｌｅｃｔｉｏｎ／Ｄｙｎａｍｉｃ  Ｐｏｉｎｔ  Ｂｌａｎｋｉｎｇ）およびジョイント伝送（ＪＴ：Ｊｏｉｎｔ  Ｔｒａｎｓｍｉｓｓｉｏｎ）などのような様々な協調マルチポイント（ＣｏＭＰ）伝送方式をサポートするために、基地局は、ジョイントスケジューリングを行うように、ユーザ端末（ＵＥ）からの多種類のＣＳＩプロセスのフィードバックを受信する必要があり、または、基地局は、受信されたＣＳＩプロセスを更新することで、新しいＣＳＩプロセスを得ることにより、ジョイントスケジューリングを行う。
【０００４】
ＣｏＭＰ測定セットには、それぞれがＴＰ１とＴＰ２である２つの送信ポイント（ＴＰ：Ｔｒａｎｓｍｉｓｓｉｏｎ  Ｐｏｉｎｔ）が含まれる情況について、ＤＰＳ方式を採用して伝送を行うと（２−ＴＰ  ＤＰＳ／ＤＰＢと呼ばれる）、この場合、基地局は、４種類のＣＳＩプロセスを受信する必要があり、あるいは、更新することにより４種類のＣＳＩプロセスを得ることができる。この４タイプのＣＳＩプロセス（即ち、２−ＴＰ  ＣｏＭＰに対応するＣＳＩプロセス）は表１に示すように、ＣＳＩ１、ＣＳＩ２、ＣＳＩ３、ＣＳＩ４を含む。ここで、ＣＳＩ１の信号部分はＴＰ１から、その干渉部分はＴＰ１以外の送信ポイント（ＴＰ２とほかの送信ポイントとを含む）から、ＣＳＩ２の信号部分はＴＰ１から、その干渉部分はＴＰ１とＴＰ２以外の送信ポイント（即ち、無線通信システムにおけるＴＰ１とＴＰ２以外のほかの送信ポイント）から、ＣＳＩ３の信号部分はＴＰ２から、その干渉部分はＴＰ２以外の送信ポイント（ＴＰ１とほかの送信ポイントとを含む）から、ＣＳＩ４の信号部分はＴＰ２から、その干渉部分はＴＰ１とＴＰ２以外の送信ポイントからである。なお、ＴＰ１に対応するＣＳＩプロセスは｛ＣＳＩ１、ＣＳＩ２｝であり、ＴＰ２に対応するＣＳＩプロセスは｛ＣＳＩ３、ＣＳＩ４｝である。
【表１】
2014096796.tif 000003
【０００５】
ＣｏＭＰ測定セットには、それぞれがＴＰ１、ＴＰ２、ＴＰ３である３つの送信ポイントが含まれる情況について、ＤＰＳ方式を採用して伝送を行うと（３−ＴＰ  ＤＰＳ／ＤＰＢと呼ばれる）、この場合、基地局は、ジョイントスケジューリングを行うように、１２種類のＣＳＩプロセスを受信する必要があり、あるいは、更新することにより１２種類のＣＳＩプロセスを得る必要がある。この１２タイプのＣＳＩプロセス（即ち、３−ＴＰ  ＣｏＭＰに対応するＣＳＩプロセス）は表２に示すようにして、その意味が表１と類似するため、ここで説明を省略する。ここで、ＴＰ１に対応するＣＳＩプロセスは｛ＣＳＩ１、ＣＳＩ２、ＣＳＩ６、ＣＳＩ１０｝であり、ＴＰ２に対応するＣＳＩプロセスは｛ＣＳＩ３、ＣＳＩ４、ＣＳＩ８、ＣＳＩ１１｝であり、ＴＰ３に対応するＣＳＩプロセスは｛ＣＳＩ５、ＣＳＩ７、ＣＳＩ９、ＣＳＩ１２｝である。
【表２】
2014096796.tif 000004
【発明の概要】
【発明が解決しようとする課題】
【０００６】
しかし、実際のシステムでは、ＵＥの複雑度およびネットワークの複雑度、特にＵＥの複雑度を考慮すると、例えば３ＧＰＰ  Ｒｅｌ−１１などのような規格において、下記のことが提出された。即ち、基地局がＵＥに対して設定する、測定およびフィードバックを行うためのＣＳＩプロセス（以下、「基地局によって設定されるＣＳＩプロセス」と呼ばれる）の数Ｎｃｏｎｆは、ＵＥの能力によって決定され、最大は１、３または４であってよい。それでは、基地局がＵＥに対して、測定およびフィードバックを行うためのＣＳＩプロセスをＮｃｏｎｆ個設定する場合、全て選択可能なＣＳＩプロセス（例えば、２−ＴＰの情況について、表１に示す４種類であり、３−ＴＰの情況について、表２に示す１２種類である）から、Ｎｃｏｎｆ個の適切なＣＳＩプロセスを如何に選択することは、解決すべき課題となる。
【０００７】
基地局はＵＥに対して、測定およびフィードバックを行うためのＣＳＩプロセスをＮｃｏｎｆ個（Ｎｃｏｎｆ＝３）設定することができることを例として、伝統的な方法の中に、表２に示す３−ＴＰ  ＣｏＭＰの情況について、そのうちの１つの方法としては、ＣＳＩプロセスがＲｅｌ−８のＣＳＩフィードバックに基づいて設定され、即ち、基地局によって設定されるＣＳＩプロセスは、ＣＳＩ１、ＣＳＩ３、ＣＳＩ５である。もう１つの方法としては、３つの基地局における同じ干渉（即ち、ＣｏＭＰ測定セット以外の干渉）を有するＣＳＩプロセスを選択し、この場合、基地局によって設定されるＣＳＩプロセスは、ＣＳＩ１０、ＣＳＩ１１、ＣＳＩ１２である。説明すべきものとして、これらの伝統的な方法は、頑健性（ｒｏｂｕｓｔ）が不十分であり、多様な無線通信環境で、よりよいシステム性能を提供することができない。
【課題を解決するための手段】
【０００８】
本発明は、協調マルチポイントユーザに対して、チャネル状態情報プロセスを選択する方法、および基地局を提供している。
【０００９】
無線通信システムにおける協調マルチポイント（ＣｏＭＰ）ユーザに対して、チャネル状態情報（ＣＳＩ）プロセスを選択する方法であって、前記無線通信システムのトラフィック負荷を取得するＡ１と、該トラフィック負荷と予め設定された１つまたは複数の負荷閾値とを比較して、前記無線通信システムの負荷レベルを決定し、異なる負荷レベルに対して、異なる、基地局によって設定されるＣＳＩプロセスを決定するＢ１と、を含む。
【００１０】
前記Ｂ１は、前記トラフィック負荷と予め設定された第１の負荷閾値とを比較し、該トラフィック負荷が前記第１の負荷閾値より小さい場合、前記無線通信システムの負荷レベルが低いと決定し、フォールバックＣＳＩを基地局によって設定されるＣＳＩプロセスのうちの１つとして選択して、サービング基地局に対応するＣＳＩプロセスから、基地局によって設定されるＣＳＩプロセスのうちの残りを選択し、該トラフィック負荷が前記第１の負荷閾値より大きい場合、前記無線通信システムの負荷レベルが高いと決定し、フォールバックＣＳＩを基地局によって設定されるＣＳＩプロセスから除外して、ＣｏＭＰ測定セットに含まれる各基地局に対応するＣＳＩプロセスから、少なくとも１つを基地局によって設定されるＣＳＩプロセスとして選択する、ことを含む。
【００１１】
前記Ｂ１は、前記トラフィック負荷と予め設定された第１の負荷閾値とを比較し、該トラフィック負荷が前記第１の負荷閾値より大きい場合、前記無線通信システムの負荷レベルが高いと決定し、フォールバックＣＳＩを基地局によって設定されるＣＳＩプロセスから除外して、第１のＣｏＭＰ測定セットに含まれる各基地局に対応するＣＳＩプロセスから、少なくとも１つを基地局によって設定されるＣＳＩプロセスとして選択し、該トラフィック負荷が前記第１の負荷閾値より小さい場合、前記無線通信システムの負荷レベルが低いと決定し、フォールバックＣＳＩを基地局によって設定されるＣＳＩプロセスのうちの１つとして選択して、基地局の数が前記第１のＣｏＭＰ測定セットより少ない第２のＣｏＭＰ測定セットを改めて生成し、前記第２のＣｏＭＰ測定セットに含まれる基地局に対応するＣＳＩプロセスから、基地局によって設定されるＣＳＩプロセスのうちの残りを選択する、ことを含む。
【００１２】
前記Ｂ１は、前記トラフィック負荷と予め設定された第１の負荷閾値、第２の負荷閾値とをそれぞれ比較し、該トラフィック負荷が前記第１の負荷閾値より小さい場合、前記無線通信システムの負荷レベルが低いと決定し、フォールバックＣＳＩを基地局によって設定されるＣＳＩプロセスのうちの１つとして選択して、サービング基地局に対応するＣＳＩプロセスから、基地局によって設定されるＣＳＩプロセスのうちの残りを選択し、該トラフィック負荷が前記第２の負荷閾値より大きい場合、前記無線通信システムの負荷レベルが高いと決定し、フォールバックＣＳＩを基地局によって設定されるＣＳＩプロセスから除外して、ＣｏＭＰ測定セットに含まれる各基地局に対応するＣＳＩプロセスから、少なくとも１つを基地局によって設定されるＣＳＩプロセスとして選択し、該トラフィック負荷が前記第１の負荷閾値より大きくて、かつ前記第２の負荷閾値より小さい場合、前記無線通信システムの負荷レベルが中レベルと決定し、フォールバックＣＳＩを基地局によって設定されるＣＳＩプロセスのうちの１つとして選択して、ＣｏＭＰ測定セットに含まれる各協調基地局に対応するＣＳＩプロセスから、少なくとも１つを基地局によって設定されるＣＳＩプロセスのうちの残りとして選択する、ことを含み、ここで、前記第１の負荷閾値は、前記第２の負荷閾値より小さい。
【００１３】
基地局に対応するＣＳＩプロセスから、基地局によって設定されるＣＳＩプロセスを選択することは、該基地局に対応する各ＣＳＩプロセスの信号対干渉雑音比を決定し、信号対干渉雑音比の降順で、基地局によって設定されるＣＳＩプロセスを所定数選択する、ことを含む。
【００１４】
前記トラフィック負荷は、リソース使用率、および／またはユーザ数を含む。
【００１５】
無線通信システムにおける協調マルチポイント（ＣｏＭＰ）ユーザに対して、チャネル状態情報（ＣＳＩ）プロセスを選択する方法であって、サービングセルの信号パラメータと協調セルの信号パラメータとの間のパラメータ差分を決定するＡ２と、該パラメータ差分と予め設定された１つまたは複数の差分閾値とを比較して、前記ＣｏＭＰユーザの位置を決定し、異なるユーザ位置に対して、異なる、基地局によって設定されるＣＳＩプロセスを決定するＢ２と、を含む。
【００１６】
前記Ｂ２は、前記パラメータ差分と予め設定された第１の差分閾値とを比較し、該パラメータ差分が前記第１の差分閾値より大きい場合、前記ＣｏＭＰユーザの位置がサービングセルの第１のエッジ領域に位置すると決定し、フォールバックＣＳＩを基地局によって設定されるＣＳＩプロセスのうちの１つのとして選択して、サービング基地局に対応するＣＳＩプロセスから、基地局によって設定されるＣＳＩプロセスのうちの残りを選択し、該パラメータ差分が前記第１の差分閾値より小さい場合、前記ＣｏＭＰユーザの位置がサービングセルの第２のエッジ領域に位置すると決定し、フォールバックＣＳＩを基地局によって設定されるＣＳＩプロセスから除外して、ＣｏＭＰ測定セットに含まれる各基地局に対応するＣＳＩプロセスから、少なくとも１つを基地局によって設定されるＣＳＩプロセスとして選択する、ことを含み、ここで、前記第１のエッジ領域は、前記第２のエッジ領域よりも前記サービングセルの中心に近い。
【００１７】
前記Ｂ２は、前記パラメータ差分と予め設定された第１の差分閾値とを比較し、該パラメータ差分が前記第１の差分閾値より小さい場合、前記ＣｏＭＰユーザの位置がサービングセルの第２のエッジ領域に位置すると決定し、フォールバックＣＳＩを基地局によって設定されるＣＳＩプロセスから除外して、第１のＣｏＭＰ測定セットに含まれる各基地局に対応するＣＳＩプロセスから、少なくとも１つを基地局によって設定されるＣＳＩプロセスとして選択し、該パラメータ差分が前記第１の差分閾値より大きい場合、前記ＣｏＭＰユーザの位置がサービングセルの第１のエッジ領域に位置すると決定し、フォールバックＣＳＩを基地局によって設定されるＣＳＩプロセスのうちの１つとして選択して、基地局の数が前記第１のＣｏＭＰ測定セットより少ない第２のＣｏＭＰ測定セットを改めて生成し、前記第２のＣｏＭＰ測定セットに含まれる基地局に対応するＣＳＩプロセスから、基地局によって設定されるＣＳＩプロセスのうちの残りを選択する、ことを含み、ここで、前記第１のエッジ領域は、前記第２のエッジ領域よりも前記サービングセルの中心に近い。
【００１８】
前記Ｂ２は、前記パラメータ差分と予め設定された第１の差分閾値、第２の差分閾値とをそれぞれ比較し、該パラメータ差分が前記第１の差分閾値より大きい場合、前記ＣｏＭＰユーザの位置がサービングセルの第１のエッジ領域に位置すると決定し、フォールバックＣＳＩを基地局によって設定されるＣＳＩプロセスのうちの１つとして選択して、サービング基地局に対応するＣＳＩプロセスから、基地局によって設定されるＣＳＩプロセスのうちの残りを選択し、該パラメータ差分が前記第２の差分閾値より小さい場合、前記ＣｏＭＰユーザの位置がサービングセルの第２のエッジ領域に位置すると決定し、フォールバックＣＳＩを基地局によって設定されるＣＳＩプロセスから除外して、ＣｏＭＰ測定セットに含まれる各基地局に対応するＣＳＩプロセスから、少なくとも１つを基地局によって設定されるＣＳＩプロセスとして選択し、前記パラメータ差分が前記第１の差分閾値より小さくて、かつ前記第２の差分閾値より大きい場合、前記ＣｏＭＰユーザの位置がサービングセルの第３のエッジ領域に位置すると決定し、フォールバックＣＳＩを基地局によって設定されるＣＳＩプロセスのうちの１つとして選択して、ＣｏＭＰ測定セットに含まれる各協調基地局に対応するＣＳＩプロセスから、少なくとも１つを基地局によって設定されるＣＳＩプロセスのうちの残りとして選択する、ことを含み、ここで、前記第１の差分閾値は、前記第２の差分閾値より大きく、前記第１のエッジ領域は、前記第２のエッジ領域よりも前記サービングセルの中心に近く、前記第３のエッジ領域は、前記第１のエッジ領域と前記第２のエッジ領域との間に位置する。
【００１９】
基地局に対応するＣＳＩプロセスから、基地局によって設定されるＣＳＩプロセスを選択することは、該基地局に対応する各ＣＳＩプロセスの信号対干渉雑音比を決定し、信号対干渉雑音比の降順で、基地局によって設定されるＣＳＩプロセスを所定数選択する、ことを含む。
【００２０】
前記信号パラメータは、参照信号受信電力、または参照信号受信品質、あるいは信号対干渉雑音比を含む。
【００２１】
無線通信システムにおける協調マルチポイント（ＣｏＭＰ）ユーザに対して、チャネル状態情報（ＣＳＩ）プロセスを選択する方法であって、所定時間帯内に出現頻度が最も高いＮｃｏｎｆ個のユーザスケジューリング状態または基地局伝送状態を決定し、ＣＳＩプロセスの予備セットから、前記Ｎｃｏｎｆ個のユーザスケジューリング状態または基地局伝送状態に対応するＣＳＩプロセスを探して、基地局によって設定されるＣＳＩプロセスとする、ことを含み、ここで、前記Ｎｃｏｎｆは、基地局によって設定されるＣＳＩプロセスの数である。
【００２２】
協調マルチポイント（ＣｏＭＰ）ユーザに対して、チャネル状態情報（ＣＳＩ）プロセスを選択する基地局であって、無線通信システムのトラフィック負荷を取得する第１の手段と、前記トラフィック負荷と予め設定された１つまたは複数の負荷閾値とを比較して、前記無線通信システムの負荷レベルを決定し、異なる負荷レベルに対して、異なる、基地局によって設定されるＣＳＩプロセスを決定する第２の手段と、を備える。
【００２３】
前記第２の手段は、前記トラフィック負荷と予め設定された第１の負荷閾値とを比較し、該トラフィック負荷が前記第１の負荷閾値より小さい場合、前記無線通信システムの負荷レベルが低いと決定し、フォールバックＣＳＩを基地局によって設定されるＣＳＩプロセスのうちの１つとして選択して、サービング基地局に対応するＣＳＩプロセスから、基地局によって設定されるＣＳＩプロセスのうちの残りを選択し、該トラフィック負荷が前記第１の負荷閾値より大きい場合、前記無線通信システムの負荷レベルが高いと決定し、フォールバックＣＳＩを基地局によって設定されるＣＳＩプロセスから除外して、ＣｏＭＰ測定セットに含まれる各基地局に対応するＣＳＩプロセスから、少なくとも１つを基地局によって設定されるＣＳＩプロセスとして選択する。
【００２４】
協調マルチポイント（ＣｏＭＰ）ユーザに対して、チャネル状態情報（ＣＳＩ）プロセスを選択する基地局であって、サービングセルの信号パラメータと協調セルの信号パラメータとの間のパラメータ差分を決定する第１の手段と、該パラメータ差分と予め設定された１つまたは複数の差分閾値とを比較して、前記ＣｏＭＰユーザの位置を決定し、異なるユーザ位置に対して、異なる、基地局によって設定されるＣＳＩプロセスを決定する第２の手段と、を備える。
【００２５】
前記第２の手段は、前記パラメータ差分と予め設定された第１の差分閾値とを比較し、該パラメータ差分が前記第１の差分閾値より大きい場合、前記ＣｏＭＰユーザの位置がサービングセルの第１のエッジ領域に位置すると決定し、フォールバックＣＳＩを基地局によって設定されるＣＳＩプロセスのうちの１つのとして選択して、サービング基地局に対応するＣＳＩプロセスから、基地局によって設定されるＣＳＩプロセスのうちの残りを選択し、該パラメータ差分が前記第１の差分閾値より小さい場合、前記ＣｏＭＰユーザの位置がサービングセルの第２のエッジ領域に位置すると決定し、フォールバックＣＳＩを基地局によって設定されるＣＳＩプロセスから除外して、ＣｏＭＰ測定セットに含まれる各基地局に対応するＣＳＩプロセスから、少なくとも１つを基地局によって設定されるＣＳＩプロセスとして選択し、ここで、前記第１のエッジ領域は、前記第２のエッジ領域よりも前記サービングセルの中心に近い。
【００２６】
協調マルチポイント（ＣｏＭＰ）ユーザに対して、チャネル状態情報（ＣＳＩ）プロセスを選択する基地局であって、所定時間帯内に出現頻度が最も高いＮｃｏｎｆ個のユーザスケジューリング状態または基地局伝送状態を決定する第１の手段と、ＣＳＩプロセスの予備セットから、前記Ｎｃｏｎｆ個のユーザスケジューリング状態または基地局伝送状態に対応するＣＳＩプロセスを探して、基地局によって設定されるＣＳＩプロセスとする第２の手段と、を備え、ここで、前記Ｎｃｏｎｆは、基地局によって設定されるＣＳＩプロセスの数である。
【発明の効果】
【００２７】
本発明で１つまたは複数の実施例により提出されるＣＳＩプロセスの選択方法は、例えばリソース使用率（ｒｅｓｏｕｒｃｅ  ｕｓａｇｅ）、ユーザ数などのようなネットワークのトラフィック負荷（ｔｒａｆｆｉｃ  ｌｏａｄ）に基づいて、基地局によって設定されるＣＳＩプロセスを選択する。ここから分かるように、本発明の実施例に提供される選択方法は、様々な無線通信システムに適応することができ、ネットワーク環境中のトラフィック負荷が高いか低いかにもかかわらず、よりよいシステム性能を提供することができ、また、トラフィック負荷が低い場合、ネットワークスケジューリングの複雑度を効果的に低減させることもできる。
【００２８】
また、本発明の実施例では、過去の一定期間内のスケジューリングおよび／または伝送の状態、あるいはサービングセルおよび協調セルからのＲＳＲＰ／ＲＳＲＱ／ＳＩＮＲなどの信号パラメータの差分（またはＵＥの位置）に基づいて、基地局によって設定されるＣＳＩプロセスを選択することができる。
【図面の簡単な説明】
【００２９】
【図１】本発明の実施例において、基地局によって設定されるＣＳＩプロセスを選択する方法の実現フローチャートである。
【図２】本発明の具体的な実施例において、第１の負荷閾値に基づいて、基地局によって設定されるＣＳＩプロセスを決定する方法の模式図である。
【図３】本発明の別の具体的な実施例において、第１の負荷閾値に基づいて、基地局によって設定されるＣＳＩプロセスを決定する方法の模式図である。
【図４】本発明のさらに別の具体的な実施例において、第１の負荷閾値および第２の負荷閾値に基づいて、基地局によって設定されるＣＳＩプロセスを決定する方法の模式図である。
【図５】本発明の別の実施例において、基地局によって設定されるＣＳＩプロセスを選択する方法の実現フローチャートである。
【図６】本発明の実施例における基地局の構成模式図である。
【発明を実施するための形態】
【００３０】
本発明の目的、解決手段およびメリットをさらに明確にするために、以下、図面を参照しながら実施例を挙げて、本発明をさらに詳しく説明する。
【００３１】
図１は、本発明の実施例において、基地局によって設定されるＣＳＩプロセスを選択する方法の実現フローチャートである。
【００３２】
ステップ１０１で、無線通信システムのトラフィック負荷を取得する。具体的に、リソース使用率またはユーザ数などにより、トラフィック負荷を判断することができる。
【００３３】
ステップ１０２で、該トラフィック負荷と予め設定された１つまたは複数の負荷閾値とを比較して、前記無線通信システムの負荷レベルを決定し、異なる負荷レベルに対して、異なる、基地局によって設定されるＣＳＩプロセスを決定する。ここから分かるように、無線通信システムが異なる負荷レベルを有する場合、基地局によって設定されるＣＳＩプロセスを選択するポリシーは同じではない。
【００３４】
具体的に、負荷レベルが低いおよび負荷レベルが高いという２つの状態について、基地局によって設定されるＣＳＩプロセスを選択する場合の違いのうちの１つとして、ＣｏＭＰユーザに対してフォールバック（ｆａｌｌｂａｃｋ）ＣＳＩを設定するかどうかにある。ここで、フォールバックＣＳＩは、例えば表１または表２におけるＣＳＩ１のようなシングルセル伝送のＣＳＩである。
【００３５】
負荷レベルが低い場合、ネットワーク内の干渉も小さい。この場合、シングルセル伝送の性能はもう十分であり、ＣｏＭＰユーザがシングルセル伝送にスケジューリングされる確率は、ＣｏＭＰ伝送を行う確率より遥かに大きい。そのため、フォールバックＣＳＩは、トラフィック負荷が比較的に低い場合で、非常に重要であり、ＣｏＭＰユーザに対して設定される必要がある。負荷レベルが高い場合、ネットワーク干渉はとても大きく、ＣｏＭＰ伝送による性能利得もとても大きい。従って、ＣｏＭＰユーザがＣｏＭＰ伝送にスケジューリングされる確率は大きくなり、シングルセル伝送の確率より遥かに大きい。この場合、ＣｏＭＰユーザにとって、ＣｏＭＰ  ＣＳＩはフォールバックＣＳＩよりもっと重要になる。そのため、フォールバックＣＳＩは、基地局によって設定されるＣＳＩプロセスから除外される。
【００３６】
負荷レベルが低い場合、基地局によって設定されるＣＳＩプロセスは、ＣＳ方式に対応するＣＳＩプロセスから選択され、つまり、サービングセルからの、さまざまな干渉仮定を有するＣＳＩプロセスから選択される。例えば、ＴＰ１がサービング基地局である場合、ＴＰ１に対応するＣＳＩプロセスは、ＣＳ方式に対応するＣＳＩプロセスである。負荷レベルが高い場合、基地局によって設定されるＣＳＩプロセスは、ＤＰＳ方式に対応するＣＳＩプロセスから選択されるため、フォールバックＣＳＩ以外の全てのＣＳＩプロセスから選択されることができる。言い換えれば、負荷レベルが高い場合、フォールバックＣＳＩ以外の全てのＣＳＩプロセスは、いずれも選択可能なＣＳＩプロセスである。
【００３７】
ここから分かるように、ステップ１０２はＣＳＩプロセスの選択範囲を縮小し、またはＣｏＭＰ方式の選択を決定した。負荷レベルが低い場合、ＤＰＳ方式は、性能メリットがＣＳ方式に対して特に明らかではないが、そのスケジューリングの複雑度がＣＳ方式より大幅に大きい。従って、負荷レベルが低い場合、ＣＳ方式に対応するＣＳＩプロセスから、基地局によって設定されるＣＳＩプロセスを選択することは、システム性能を保証するとともに、測定やスケジューリングなどの複雑度を低減させることができる。比較的に言えば、負荷レベルが高い場合、ＤＰＳ方式の性能利得はＣＳ方式より大幅に大きいため、この場合、ＤＰＳ方式を選択することは、より高いシステム性能をもたらすことができる。
【００３８】
本発明の具体的な実施例において、第１の負荷閾値を予め設定して、無線通信システムのトラフィック負荷を取得した後、前記トラフィック負荷と該第１の負荷閾値とを比較する。説明すべきものとして、第１の負荷閾値の値は、経験値などにより設定されることができる。
【００３９】
該トラフィック負荷が前記第１の負荷閾値より小さい場合、前記無線通信システムの負荷レベルが低いと決定し、ポリシー１を採用して、基地局によって設定されるＣＳＩプロセスを選択する。ポリシー１は、具体的に、フォールバックＣＳＩを基地局によって設定されるＣＳＩプロセスとして選択して、サービング基地局に対応するＣＳＩプロセスから、残りの、基地局によって設定されるＣＳＩプロセスを選択する、ことである。例えば、基地局によって設定されるＣＳＩプロセスの数がＮｃｏｎｆである場合、フォールバックＣＳＩのほかに、また、サービング基地局に対応するＣＳＩプロセスから、基地局によって設定されるＣＳＩプロセスをＮｃｏｎｆ−１個選択する必要がある。前記トラフィック負荷が前記第１の負荷閾値より大きい場合、前記無線通信システムの負荷レベルが高いと決定し、ポリシー２を採用して、基地局によって設定されるＣＳＩプロセスを選択する。ポリシー２は、具体的に、フォールバックＣＳＩを基地局によって設定されるＣＳＩプロセスから除外して、ＣｏＭＰ測定セットに含まれる各基地局に対応するＣＳＩプロセスから、少なくとも１つを基地局によって設定されるＣＳＩプロセスとして選択する、ことである。例えば、ＣｏＭＰ測定セットにはＴＰ１、ＴＰ２が含まれることを仮定すると、ＴＰ１に対応するＣＳＩプロセスから、少なくとも１つを基地局によって設定されるＣＳＩプロセスとして選択して、ＴＰ２に対応するＣＳＩプロセスからも、少なくとも１つを基地局によって設定されるＣＳＩプロセスとして選択する。これにより、ＣｏＭＰ測定セットに含まれる各基地局のいずれかにおいて、選択された対応するＣＳＩプロセスが存在している、ということが保証される。トラフィック負荷が第１の負荷閾値と等しい場合、上記２つのポリシーのうちのいずれかを採用して、基地局によって設定されるＣＳＩプロセスを選択するようにしてもよく、特に限定されるものではない。
【００４０】
この具体的な実施例において、第１の負荷閾値を用いて負荷レベルの高さを評価する。もちろん、ほかの方式を採用して負荷レベルの高さを決定するようにしてもよい。
【００４１】
３−ＴＰを例として、基地局によって設定されるＣＳＩプロセスの数Ｎｃｏｎｆ＝３であることを仮定すると、図２に示すように、トラフィック負荷が比較的に低い（即ち、負荷レベルは低い領域にある）場合、フォールバックＣＳＩ（図２における縦線で塗りつぶされた領域を参照）が、基地局によって設定されるＣＳＩプロセスとして選択されてＣｏＭＰユーザに提供される必要があり、残りの２つの、基地局によって設定されるＣＳＩプロセスも、サービングセルのＣＳＩから選択され、ここで、サービングセルのＣＳＩは、信号部分がサービング基地局からであるＣＳＩプロセスであってよい。例えば、ＴＰ１がサービング基地局である場合、表２におけるＣＳＩ１、ＣＳＩ２、ＣＳＩ６、ＣＳＩ１０は、いずれもサービング基地局のＣＳＩ予備セットであり、即ち、サービング基地局に対応するＣＳＩプロセスである。
【００４２】
トラフィック負荷が比較的に高い（即ち、負荷レベルは高い領域にある）場合、基地局によって設定される全てのＣＳＩプロセスは、いずれもＣｏＭＰ  ＣＳＩである。具体的に、ＣｏＭＰ測定セットに含まれる各基地局のＣＳＩ予備セットから、少なくとも１つを基地局によって設定されるＣＳＩプロセスとして選択するようにしてよい。例えば、ＴＰ１がサービング基地局であり、ＴＰ２が第１の協調基地局であり、ＴＰ３が第２の協調基地局である場合、ＴＰ１のＣＳＩ予備セット｛ＣＳＩ１、ＣＳＩ２、ＣＳＩ６、ＣＳＩ１０｝（即ち、予備セット１）から、１つを基地局によって設定されるＣＳＩプロセスとして選択し、ＴＰ２のＣＳＩ予備セット｛ＣＳＩ３、ＣＳＩ４、ＣＳＩ８、ＣＳＩ１１｝（即ち、予備セット２）から、１つを基地局によって設定されるＣＳＩプロセスとして選択し、ＴＰ３のＣＳＩ予備セット｛ＣＳＩ５、ＣＳＩ７、ＣＳＩ９、ＣＳＩ１２｝（即ち、予備セット３）から、１つを基地局によって設定されるＣＳＩプロセスとして選択する。
【００４３】
本発明の別の具体的な実施例において、第１の負荷閾値を予め設定し、無線通信システムのトラフィック負荷を取得した後、該トラフィック負荷と第１の負荷閾値とを比較する。該トラフィック負荷が前記第１の負荷閾値より大きい場合、前記無線通信システムの負荷レベルが高いと決定し、フォールバックＣＳＩを基地局によって設定されるＣＳＩプロセスから除外して、第１のＣｏＭＰ測定セットに含まれる各基地局に対応するＣＳＩプロセスから、少なくとも１つを基地局によって設定されるＣＳＩプロセスとして選択する。前記トラフィック負荷が前記第１の負荷閾値より小さい場合、前記無線通信システムの負荷レベルが低いと決定し、フォールバックＣＳＩを基地局によって設定されるＣＳＩプロセスのうちの１つとして選択して、基地局の数が前記第１のＣｏＭＰ測定セットより少ない第２のＣｏＭＰ測定セットを改めて生成し、前記第２のＣｏＭＰ測定セットに含まれる基地局に対応するＣＳＩプロセスから、基地局によって設定されるＣＳＩプロセスのうちの残りを選択する。トラフィック負荷が第１の負荷閾値と等しい場合、上記２つのポリシーのうちのいずれかを採用して、基地局によって設定されるＣＳＩプロセスを選択することができる。
【００４４】
ここから分かるように、図３に示すように、フォールバックＣＳＩを設定する必要があるかどうかが決定された後、基地局によって設定されるＣＳＩプロセスは、以下の方法を採用して選択される。即ち、トラフィック負荷が高い領域にある場合、フォールバックＣＳＩを使用せずに、基地局によって設定されるＣＳＩプロセスは、３−ＴＰ  ＣｏＭＰに対応する残りのＣＳＩプロセス（図３における右斜め線で塗りつぶされた領域を参照）から選択され、トラフィック負荷が低い領域にある場合、フォールバックＣＳＩを使用して（図３における縦線で塗りつぶされた領域を参照）、残りの、基地局によって設定されるＣＳＩプロセスは、２−ＴＰ  ＣｏＭＰに対応するほかのＣＳＩプロセス（図３における左斜め線で塗りつぶされた領域を参照）から選択される。ここで、３−ＴＰ  ＣｏＭＰは第１のＣｏＭＰ測定セットであり、２−ＴＰ  ＣｏＭＰは第２のＣｏＭＰ測定セットである。
【００４５】
上記方法を採用すると、負荷レベルが低い場合、３−ＴＰ  ＣｏＭＰは、性能メリットが２−ＴＰ  ＣｏＭＰに対して特に明らかではないが、そのスケジューリングの複雑度が２−ＴＰ  ＣｏＭＰより遥かに大きい。従って、負荷レベルが低い場合で２−ＴＰ  ＣｏＭＰに対応するＣＳＩプロセスが設定されることは、システム性能を保証するとともに、測定やスケジューリングなどの複雑度を低減させることができる。負荷レベルが高い場合、３−ＴＰ  ＣｏＭＰの性能利得は２−ＴＰ  ＣｏＭＰより遥かに大きい。この場合、３−ＴＰ  ＣｏＭＰを選択することは、より高いシステム性能をもたらすことができる。
【００４６】
本発明のさらに別の具体的な実施例において、図４に示すように、第１の負荷閾値および第２の負荷閾値を予め設定し、ここで、第１の負荷閾値は、第２の負荷閾値より小さく、この２つの閾値の値は、いずれも経験値などにより設定されることができる。
【００４７】
具体的に、無線通信システムのトラフィック負荷を取得した後、前記トラフィック負荷と予め設定された第１の負荷閾値、第２の負荷閾値とをそれぞれ比較し、ここで、前記第１の負荷閾値は前記第２の負荷閾値より小さい。該トラフィック負荷が前記第１の負荷閾値より小さい場合、前記無線通信システムの負荷レベルが低いと決定し、ポリシー１を採用して、基地局によって設定されるＣＳＩプロセスを選択する。ポリシー１は、具体的に、フォールバックＣＳＩを基地局によって設定されるＣＳＩプロセスのうちの１つとして選択して、サービング基地局に対応するほかのＣＳＩプロセスから、基地局によって設定されるＣＳＩプロセスのうちの残りを選択する、ことである。該トラフィック負荷が前記第２の負荷閾値より大きい場合、前記無線通信システムの負荷レベルが高いと決定し、ポリシー２を採用して、基地局によって設定されるＣＳＩプロセスを選択する。ポリシー２は、具体的に、フォールバックＣＳＩを基地局によって設定されるＣＳＩプロセスから除外して、ＣｏＭＰ測定セットに含まれる各基地局に対応するＣＳＩプロセスから、少なくとも１つを基地局によって設定されるＣＳＩプロセスとして選択する、ことである。該トラフィック負荷が前記第１の負荷閾値より小さくて、かつ前記第２の負荷閾値より大きい場合、前記無線通信システムの負荷レベルが中レベルであると決定し、ポリシー３を採用して、基地局によって設定されるＣＳＩプロセスを選択する。ポリシー３は、具体的に、フォールバックＣＳＩを基地局によって設定されるＣＳＩプロセスのうちの１つとして選択して、ＣｏＭＰ測定セットに含まれる各協調基地局に対応するＣＳＩプロセスから、少なくとも１つを基地局によって設定されるＣＳＩプロセスのうちの残りとして選択する、ことである。トラフィック負荷が第１の負荷閾値と等しい場合、ポリシー１またはポリシー３を採用して、基地局によって設定されるＣＳＩプロセスを選択することができ、トラフィック負荷が第２の負荷閾値と等しい場合、ポリシー２またはポリシー３を採用して、基地局によって設定されるＣＳＩプロセスを選択することができる。
【００４８】
ここから分かるように、トラフィック負荷は、第１の負荷閾値より小さい場合、低い領域にあり、トラフィック負荷は、第２の負荷閾値より大きい場合、高い領域にあり、図２における相応のトラフィック負荷領域での処理と類似するため、ここで説明を省略する。
【００４９】
システムのトラフィック負荷が中レベル領域にある場合、即ち、トラフィック負荷が第１の負荷閾値より大きくて、かつ第２の負荷閾値より小さい場合、基地局によって設定されるＣＳＩプロセスとして、フォールバックＣＳＩが必ず選択され、さらに、残りの、基地局によって設定されるＣＳＩプロセスは、ＣｏＭＰ測定セットにおいてサービング基地局以外のほかの基地局に対応するＣＳＩプロセスから選択され、例えば、ＴＰ２に対応する予備セット２およびＴＰ３に対応する予備セット３から選択される。具体的に、ＳＩＮＲ最強原則に従って、ほかの基地局に対応するＣＳＩプロセスから、基地局によって設定されるＣＳＩプロセスを選択することができ、この過程は、具体的に以下の説明を参照する。表２を参照して、具体的な実現において、システムのリソース使用率が２つの閾値の間にあり、中等の負荷である場合、基地局がそのＣｏＭＰユーザに対して設定するＣＳＩプロセスは、ＣＳＩ１、ＣＳＩ１１、ＣＳＩ１２である。
【００５０】
上記の実施例では、負荷閾値によってＣＳＩプロセスの選択範囲が縮小された後、基地局は、ＣＳＩプロセスの信号対干渉雑音比（ＳＩＮＲ：Ｓｉｇｎａｌ  ｔｏ  Ｉｎｔｅｒｆｅｒｅｎｃｅ  ｐｌｕｓ  Ｎｏｉｓｅ  Ｒａｔｉｏ）の強度の大きさに基づいて、さらに選択を行うことができる。もちろん、ユーザが３タイプのＣＳＩプロセスのみをフィードバックした場合、基地局は、まず、ＣＳＩ更新を行ってほかのタイプのＣＳＩプロセスを得てから、ＳＩＮＲに基づいて、さらに選択を行うようにしてもよい。例えば、基地局Ａに対応するＣＳＩプロセスのうち、最大ＳＩＮＲを有するＣＳＩプロセスを選択して、ユーザに対しフィードバックするよう要求するようにしてもよく、ここでの基地局Ａはサービング基地局、または協調基地局、あるいはＣｏＭＰ測定セットにおけるいずれかの基地局であってよい。
【００５１】
具体的な実現に、基地局は、ＣｏＭＰユーザに対して、３つのＣＳＩプロセスを設定しようとすると仮定する。ネットワークはリソース使用率が予め設定された閾値より低くて、トラフィック負荷の低い状態にあることが基地局によって発見されると、まず、フォールバックＣＳＩ（即ちＣＳＩ１）が選択され、それから、残りの２つが、ＣＳ方式に対応するＣＳＩプロセスからＳＩＮＲの強度に基づいて選択され、つまり、ＣＳＩ２、ＣＳＩ６、ＣＳＩ１０から選択される。ＳＩＮＲの大きさの関係はＣＳＩ１０＞ＣＳＩ２＞ＣＳＩ６であると仮定すれば、基地局は、該ＣｏＭＰユーザに対して、測定およびフィードバックを行うように、ＣＳＩ１、ＣＳＩ１０およびＣＳＩ２を設定することができる。
【００５２】
ネットワークはリソース使用率が予め設定された閾値より高くて、トラフィック負荷の高い状態にあることが基地局によって発見されると、まず、決定できるものとして、該ＣｏＭＰユーザに対して、フォールバックＣＳＩが選択されない。それから、ＤＰＳ方式に対応する残りのＣＳＩプロセスについては、各ＴＰでＳＩＮＲの強度に基づいて選択される。具体的に、ＴＰ１のフォールバックＣＳＩ以外のＣＳＩプロセス（即ちＣＳＩ２、ＣＳＩ６、ＣＳＩ１０）から、ＳＩＮＲが最大となるＣＳＩ１０を選択し、測定し得られた（または更新し得られた）、ＴＰ２からの４つのＣＳＩプロセス（即ちＣＳＩ３、ＣＳＩ４、ＣＳＩ８、ＣＳＩ１１）から、ＳＩＮＲが最大となるＣＳＩ１１を選択し、ＴＰ３からの４つのＣＳＩプロセス（即ちＣＳＩ５、ＣＳＩ７、ＣＳＩ９、ＣＳＩ１２）から、ＳＩＮＲが最大となるＣＳＩ１２を選択する。最後に、基地局は、該ＣｏＭＰユーザに対して、測定およびフィードバックを行うように、ＣＳＩ１０、ＣＳＩ１１およびＣＳＩ１２を設定する。
【００５３】
別の具体的な実現に、基地局がＣｏＭＰユーザに対して設定するＣＳＩプロセスは３つより多いと仮定する。トラフィック負荷が高い状態で、ＣＳＩ１０、ＣＳＩ１１、ＣＳＩ１２を選択した後、ほかのＣＳＩプロセスの選択については、以下のいずれかの方法を採用することができる。例えば、選択されていないＣＳＩプロセスから、ＳＩＮＲが最大となるいくつかを選択し、または、サービングセルＴＰ１からのＣＳＩプロセスから、ＳＩＮＲが最大となるいくつかを選択し、あるいは、各ＴＰからのＣＳＩ予備セットから、ＳＩＮＲが最大となるものをそれぞれ選択してから、各ＴＰの優先度に基づいて、さらに選択を行い、例えば、ＴＰ１の優先度はＴＰ２より高くて、かつＴＰ２はＴＰ３より高い。
【００５４】
基地局によって設定されるＣＳＩプロセスが全部選択された後、選択された、基地局によって設定されるＣＳＩプロセスにより、ユーザに対して測定設定を行い、後続のユーザは、対応するＣＳＩプロセスを基地局へフィードバックすることにより、基地局は、受信されたＣＳＩプロセスを使用してスケジューリングを行う。具体的な過程は、従来技術を参照できるため、ここで説明を省略する。
【００５５】
本発明の別の実施例において、ユーザにより測定、フィードバックされた、サービングセルおよび協調セルからの参照信号受信電力（ＲＳＲＰ：Ｒｅｆｅｒｅｎｃｅ  Ｓｉｇｎａｌ  Ｒｅｃｅｉｖｉｎｇ  Ｐｏｗｅｒ）、参照信号受信品質（ＲＳＲＱ：Ｒｅｆｅｒｅｎｃｅ  Ｓｉｇｎａｌ  Ｒｅｃｅｉｖｉｎｇ  Ｑｕａｌｉｔｙ）、ＳＩＮＲなどの信号パラメータの差分に基づいて、基地局によって設定されるＣＳＩプロセスを選択することができる。
【００５６】
例えば、サービングセルの信号パラメータと協調セルの信号パラメータとの間の差分が大きいほど、ユーザの位置がサービングセルにもっと近くて、サービングセルにスケジューリングされる確率がもっと大きい、ということが表明される。従って、ユーザに対して、サービングセルに対応するＣＳＩプロセスがより多く設定され、言い換えれば、ＣＳ方式におけるＣＳＩプロセスがもっと大きい確率で選択される。逆に、差分が小さいほど、ユーザが比較的エッジの位置にあり、サービングセルおよび協調セルからの距離が近似している、ということが表明される。この場合で、該ユーザがサービングセルおよび協調セルにスケジューリングされる確率は近いため、基地局がこのＣｏＭＰユーザに対してＣＳＩプロセスを選択する場合、サービングセルおよび協調セルからのＣＳＩプロセスが選択される確率は近く、言い換えれば、ＤＰＳ方式におけるＣＳＩプロセスがもっと大きい確率で設定される。
【００５７】
本発明の別の実施例は、無線通信システムにおける協調マルチポイント（ＣｏＭＰ）ユーザに対して、チャネル状態情報（ＣＳＩ）プロセスを選択する方法を提供し、そのフローは図５を参照する。
【００５８】
ステップ５０１で、サービングセルの信号パラメータと協調セルの信号パラメータとの間のパラメータ差分を決定する。ステップ５０２で、該パラメータ差分と予め設定された１つまたは複数の差分閾値とを比較して、前記ＣｏＭＰユーザの位置を決定し、異なるユーザ位置に対して、異なる、基地局によって設定されるプロセスを決定する。ここから分かるように、ＣｏＭＰユーザのサービングセル内における位置が異なる場合、基地局によって設定されるＣＳＩプロセスを選択するポリシーも同じではない。
【００５９】
具体的な実現において、ステップ５０２は、前記パラメータ差分と予め設定された第１の差分閾値と比較し、該パラメータ差分が前記第１の差分閾値より大きい場合、前記ＣｏＭＰユーザの位置がサービングセルの第１のエッジ領域に位置すると決定し、フォールバックＣＳＩを基地局によって設定されるＣＳＩプロセスのうちの１つとして選択して、サービング基地局に対応するＣＳＩプロセスから、基地局によって設定されるＣＳＩプロセスのうちの残りを選択し、該パラメータ差分が前記第１の差分閾値より小さい場合、前記ＣｏＭＰユーザの位置がサービングセルの第２のエッジ領域に位置すると決定し、フォールバックＣＳＩを基地局によって設定されるＣＳＩプロセスから除外して、ＣｏＭＰ測定セットに含まれる各基地局に対応するＣＳＩプロセスから、少なくとも１つを基地局によって設定されるＣＳＩプロセスとして選択する、ことを含み、ここで、前記第１のエッジ領域は、前記第２のエッジ領域よりも前記サービングセルの中心に近い。なお、ＣｏＭＰ測定セットにおける各基地局に対応するＣＳＩプロセスから、基地局によって設定されるＣＳＩプロセスを決定する際に、ＳＩＮＲ最強原則に従って選択を行うことができる。
【００６０】
具体的な実現において、ステップ５０２は、前記パラメータ差分と予め設定された第１の差分閾値とを比較し、該パラメータ差分が前記第１の差分閾値より小さい場合、前記ＣｏＭＰユーザの位置がサービングセルの第２のエッジ領域に位置すると決定し、フォールバックＣＳＩを基地局によって設定されるＣＳＩプロセスから除外して、第１のＣｏＭＰ測定セットに含まれる各基地局に対応するＣＳＩプロセスから、少なくとも１つを基地局によって設定されるＣＳＩプロセスとして選択し、前記パラメータ差分が前記第１の差分閾値より大きい場合、前記ＣｏＭＰユーザの位置がサービングセルの第１のエッジ領域に位置すると決定し、フォールバックＣＳＩを基地局によって設定されるＣＳＩプロセスのうちの１つとして選択して、基地局の数が前記第１のＣｏＭＰ測定セットより少ない第２のＣｏＭＰ測定セットを改めて生成し、前記第２のＣｏＭＰ測定セットに含まれる基地局に対応するＣＳＩプロセスから、基地局によって設定されるＣＳＩプロセスのうちの残りを選択する（例えば、ＳＩＮＲ最強原則に従って選択を行うことができる）ことを含み、ここで、前記第１のエッジ領域は、前記第２のエッジ領域よりも前記サービングセルの中心に近い。
【００６１】
具体的な実現において、ステップ５０２は、前記パラメータ差分と予め設定された第１の差分閾値、第２の差分閾値とをそれぞれ比較し、前記パラメータ差分が前記第１の差分閾値より大きい場合、前記ＣｏＭＰユーザの位置がサービングセルの第１のエッジ領域に位置すると決定し、フォールバックＣＳＩを基地局によって設定されるＣＳＩプロセスのうちの１つとして選択して、サービング基地局に対応するＣＳＩプロセスから、基地局によって設定されるＣＳＩプロセスのうちの残りを選択し（例えば、ＳＩＮＲ最強原則に従って選択を行うことができる）、前記パラメータ差分が前記第２の差分閾値より小さい場合、前記ＣｏＭＰユーザの位置がサービングセルの第２のエッジ領域に位置すると決定し、フォールバックＣＳＩを基地局によって設定されるＣＳＩプロセスから除外して、ＣｏＭＰ測定セットに含まれる各基地局に対応するＣＳＩプロセスから、少なくとも１つを基地局によって設定されるＣＳＩプロセスとして選択し、前記パラメータ差分が前記第１の差分閾値より小さくて、かつ前記第２の差分閾値より大きい場合、前記ＣｏＭＰユーザの位置がサービングセルの第３のエッジ領域に位置すると決定し、フォールバックＣＳＩを基地局によって設定されるＣＳＩプロセスのうちの１つとして選択して、ＣｏＭＰ測定セットに含まれる各協調基地局に対応するＣＳＩプロセスから、少なくとも１つを基地局によって設定されるＣＳＩプロセスのうちの残りとして選択する（例えば、ＳＩＮＲ最強原則に従って選択を行うことができる）、ことを含み、ここで、前記第１の差分閾値は、前記第２の差分閾値より大きく、この２つの閾値の値は、いずれも経験値などにより設定されることができ、前記第１のエッジ領域は、前記第２のエッジ領域よりも前記サービングセルの中心に近く、前記第３のエッジ領域は、前記第１のエッジ領域と前記第２のエッジ領域との間に位置する。つまり、第１のエッジ領域はエッジが中心に近づく領域であり、第３のエッジ領域は比較的エッジの領域であり、第２のエッジ領域は最もエッジの領域である。
【００６２】
具体的に、基地局に対応するＣＳＩプロセスから、基地局によって設定されるＣＳＩプロセスを選択することは、該基地局に対応する各ＣＳＩプロセスの信号対干渉雑音比を決定し、信号対干渉雑音比の降順で、所定数の、基地局によって設定されるＣＳＩプロセスを選択する、ことを含む。ここでの基地局はサービング基地局であってよく、協調基地局であってもよいし、またはＣｏＭＰ測定セットに含まれるいずれかの基地局であってもよい。
【００６３】
上記の実施例において、前記信号パラメータは、参照信号受信電力、または参照信号受信品質、あるいは信号対干渉雑音比を含む。
【００６４】
本発明のさらに別の実施例において、過去の一定期間内に各ユーザがスケジューリングされた場合に対応する状態のうちの最も多い状態、または、過去の一定期間内にＣｏＭＰ測定セットに含まれる各基地局の伝送が最も頻繁である場合の状態に基づいて、基地局によって設定されるＣＳＩプロセスを決定することができる。具体的に、この方法は、所定時間帯内に出現頻度が最も高いＮｃｏｎｆ個のユーザスケジューリング状態または基地局伝送状態を決定し、ＣＳＩプロセスの予備セットから、前記Ｎｃｏｎｆ個のユーザスケジューリング状態または基地局伝送状態に対応するＣＳＩプロセスを探して、基地局によって設定されるＣＳＩプロセスとする、ことを含み、ここで、前記Ｎｃｏｎｆは、基地局によって設定されるＣＳＩプロセスの数であり、ユーザスケジューリング状態は、該ユーザがスケジューリングされた場合の基地局伝送状態を指し、基地局伝送状態は、どのユーザがスケジューリングされても記録される状態である。以下、Ｎｃｏｎｆ＝３を例として説明し、つまり、基地局は、ＣｏＭＰユーザに対して、測定およびフィードバックを行うように、３つのＣＳＩプロセスを設定しようとする。下記のことを仮定し、即ち、過去１００ｍｓの内に、ＣｏＭＰ  ＵＥ  Ａがスケジューリングされて伝送を行う場合に対応する状態のうちの最も多い３つの状態は、それぞれ、１、ＴＰ１はデータをＣｏＭＰ  ＵＥ  Ａに伝送し、ＴＰ２およびＴＰ３は開状態（ｎｏｎ−ｍｕｔｉｎｇ）にある、２、ＴＰ１はデータをＣｏＭＰ  ＵＥ  Ａに伝送し、ＴＰ２は閉状態（ｍｕｔｉｎｇ）にあり、ＴＰ３は開状態にある、３、ＴＰ２はデータをＣｏＭＰ  ＵＥ  Ａに伝送し、ＴＰ１は閉状態にあり、ＴＰ３は開状態にある、ことである。具体的に、ＴＰが閉状態（ｍｕｔｉｎｇ）にある場合、そのデータチャネルの電力は０であるが、制御チャネルの電力は０ではない。ＴＰが開状態（ｎｏｎ−ｍｕｔｉｎｇ）にある場合、そのデータチャネルおよび制御チャネルの電力はいずれも０ではない。この場合、基地局がＣｏＭＰ  ＵＥ  Ａに対して設定する３つのＣＳＩプロセスは、表１におけるＣＳＩ１、ＣＳＩ２、ＣＳＩ４である。説明すべきものとして、本例示では、スケジューリングされた場合に対応する状態のうちの最も多い３つの状態は、ＴＰ３からのデータ送信に関与せず、またはＴＰ３はただ干渉とするものである。そのため、２−ＴＰ  ＣｏＭＰについての表１から、基地局によって設定されるＣＳＩプロセスを選択することができる。ほかの場合で、各ユーザがスケジューリングされた場合に対応する状態のうちの最も多い状態に基づいて、３−ＴＰ  ＣｏＭＰについての表２から、基地局によって設定されるＣＳＩプロセスを選択することができる。
【００６５】
本発明の実施例に係る選択方法は、いずれも、基地局により実行されることができる。従って、上記いずれか１つまたは複数の選択方法を実現するように、基地局には相応の機能が追加される必要がある。
【００６６】
本発明の具体的な実施例では、協調マルチポイント（ＣｏＭＰ）ユーザに対して、チャネル状態情報（ＣＳＩ）プロセスを選択する基地局が提供され、図６に示すように、その構成は、無線通信システムのトラフィック負荷を取得する第１の手段６０１と、該トラフィック負荷と予め設定された１つまたは複数の負荷閾値とを比較して、前記無線通信システムの負荷レベルを決定し、異なる負荷レベルに対して、異なる、基地局によって設定されるＣＳＩプロセスを決定する第２の手段６０２と、を備える。
【００６７】
上記の基地局において、第２の手段６０２の実現は図２に示す方法を参照し、具体的に、第２の手段６０２は、前記トラフィック負荷と、予め設定された第１の負荷閾値とを比較し、該トラフィック負荷が前記第１の負荷閾値より小さい場合、前記無線通信システムの負荷レベルが低いと決定し、フォールバックＣＳＩを基地局によって設定されるＣＳＩプロセスのうちの１つとして選択して、サービング基地局に対応するＣＳＩプロセスから、基地局によって設定されるＣＳＩプロセスのうちの残りを選択し、前記トラフィック負荷が前記第１の負荷閾値より大きい場合、前記無線通信システムの負荷レベルが高いと決定し、フォールバックＣＳＩを基地局によって設定されるＣＳＩプロセスから除外して、ＣｏＭＰ測定セットに含まれる各基地局に対応するＣＳＩプロセスから、少なくとも１つを基地局によって設定されるＣＳＩプロセスとして選択する。
【００６８】
説明すべきものとして、第２の手段６０２は、図３および図４に示す方法を採用して実現するようにしてもよいため、ここで説明を省略する。
【００６９】
本発明の別の具体的な実施例では、協調マルチポイント（ＣｏＭＰ）ユーザに対して、チャネル状態情報（ＣＳＩ）プロセスを選択する基地局が提供され、サービングセルの信号パラメータと協調セルの信号パラメータとの間のパラメータ差分を決定する第１の手段と、該パラメータ差分と予め設定された１つまたは複数の差分閾値とを比較して、前記ＣｏＭＰユーザの位置を決定し、異なるユーザ位置に対して、異なる、基地局によって設定されるＣＳＩプロセスを決定する第２の手段と、を備える。
【００７０】
上記の基地局において、第２の手段は、具体的に、前記パラメータ差分と予め設定された第１の差分閾値とを比較し、該パラメータ差分が前記第１の差分閾値より大きい場合、前記ＣｏＭＰユーザの位置がサービングセルの第１のエッジ領域に位置すると決定し、フォールバックＣＳＩを基地局によって設定されるＣＳＩプロセスのうちの１つとして選択して、サービング基地局に対応するＣＳＩプロセスから、基地局によって設定されるＣＳＩプロセスのうちの残りを選択し、該パラメータ差分が前記第１の差分閾値より小さい場合、前記ＣｏＭＰユーザの位置がサービングセルの第２のエッジ領域に位置すると決定し、フォールバックＣＳＩを基地局によって設定されるＣＳＩプロセスから除外して、ＣｏＭＰ測定セットに含まれる各基地局に対応するＣＳＩプロセスから、少なくとも１つを基地局によって設定されるＣＳＩプロセスとして選択する、ことを含み、ここで、前記第１のエッジ領域は、前記第２のエッジ領域よりも前記サービングセルの中心に近い。
【００７１】
以上は第２の手段を実現する例示的な説明のみであり、本発明の方法実施例に係る全ての選択方法は、いずれも、類似の方式を採用して実現することができるため、ここで説明を省略する。
【００７２】
本発明のさらに別の具体的な実施例では、協調マルチポイント（ＣｏＭＰ）ユーザに対して、チャネル状態情報（ＣＳＩ）プロセスを選択する基地局が提供され、所定時間帯内に出現頻度が最も高いＮｃｏｎｆ個のユーザスケジューリング状態または基地局伝送状態を決定する第１の手段と、ＣＳＩプロセスの予備セットから、前記Ｎｃｏｎｆ個のユーザスケジューリング状態または基地局伝送状態に対応するＣＳＩプロセスを探して、基地局によって設定されるＣＳＩプロセスとする第２の手段と、を備え、ここで、前記Ｎｃｏｎｆは、基地局によって設定されるＣＳＩプロセスの数である。
【００７３】
本発明の実施例に提供される方法は、ユーザに対して設定される測定用のＣＳＩプロセスの数Ｎｃｏｎｆを基地局が決定した場合、システムの各パラメータおよび状態に基づいて、適切なＣＳＩプロセスを選択してユーザに対して設定することにより、システムに、様々なトラフィック負荷の下で、より高い性能を実現させることができる。また、本発明の実施例は、無線環境によってＣｏＭＰ方式を選択することができるため、システム測定およびネットワークスケジューリングなどの複雑度を低減させ、特に、負荷レベルが低い場合、システムの複雑度を低減させるとともに、システム性能を保証できる。
【００７４】
上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【図１】
2014096796.tif 000005
【図２】
2014096796.tif 000006
【図３】
2014096796.tif 000007
【図４】
2014096796.tif 000008
【図５】
2014096796.tif 000009
【図６】
2014096796.tif 000010